(57)【要約】【課題】上キャビネットと下キャビネットの双方において、奥行きの異なる複数のタイプを用意しておく必要があるため、引き戸等の部品の種類が多くなっており、製造コストが高いという問題があった。【解決手段】下キャビネット１０の上側と収納空間２９の下側との間に開口部を有する下部空間５０，１５０が形成されるとともに、この下部空間５０，１５０に、略水平方向に引き出し可能とされて着脱可能な引き出しカウンタ３０と同開口部を塞ぐ着脱可能な目隠し部材１３０とが選択的に設けられる構成とした。良好な見た目を維持しながら、奥行きが異なる等、複数の下キャビネットに対して一つの奥行きの上キャビネットを組み合わせ可能にさせて上キャビネットの扉を共通化させ、キャビネットを製造する際のコストを低減させるとともに、キャビネットセットの使い勝手を向上させることが可能となる。【選択図】  図２
2004166859.tif 000002
【特許請求の範囲】
【請求項１】
扉を有して収納空間が形成されるとともに下キャビネットの上側に載置される上キャビネットであって、
上記下キャビネットの上側に載置されたときに当該下キャビネットの上側と上記収納空間の下側との間に開口部を有する下部空間が形成されるとともに、当該下部空間に、略水平方向に引き出し可能とされて着脱可能な引き出しカウンタと同開口部を塞ぐ着脱可能な目隠し部材とが選択的に設けられることを特徴とする上キャビネット。
【請求項２】
上記引き出しカウンタは、上記開口部を臨む方向を基準として上記下キャビネットと本上キャビネットとの奥行きが略同じであるときに上記下部空間に設けられ、上記目隠し部材は、上記下キャビネットが本上キャビネットよりも長い奥行きであるときに上記下部空間に設けられることを特徴とする請求項１に記載の上キャビネット。
【請求項３】
上記引き出しカウンタは、上記開口部を臨む方向を基準として上記下キャビネットの前側と本上キャビネットの前側が略同じ位置であるときに上記下部空間に設けられ、上記目隠し部材は、上記下キャビネットの前側が本上キャビネットの前側よりも手前であるときに上記下部空間に設けられることを特徴とする請求項１または請求項２のいずれかに記載の上キャビネット。
【請求項４】
上記前側が本上キャビネットの前側よりも手前とされた下キャビネットは、手前に長くされた部分の上側に所定の厚さのカウンタが設けられ、上記目隠し部材は、同カウンタの奥側に当接して上記下部空間に設けられていることを特徴とする請求項３に記載の上キャビネット。
【請求項５】
略並行とされた上レールおよび下レールが設けられ、上記扉は、上端部にて同上レールに吊り下げられるとともに同上レールおよび下レールに沿って開閉動可能に設けられた引き戸であり、同下レールは、上記収納空間の下端部に設けられて略下方に向かって開口した案内溝が形成され、同引き戸は、略上方に付勢されて同案内溝に挿入されるとともに略下方への引っ張り操作により同案内溝から引き抜くことが可能な挿入部材が下端部に設けられていることを特徴とする請求項１〜請求項４のいずれかに記載の上キャビネット。
【請求項６】
下キャビネットと、収納空間が形成されるとともに同下キャビネットの上側に載置される上キャビネットとを備えるキャビネットセットであって、
上記下キャビネットは、上記上キャビネットと略同じ奥行きとされ、
上記上キャビネットは、上記下キャビネットの上側に載置されたときに当該下キャビネットの上側と上記収納空間の下側との間に下部空間が形成されるとともに、当該下部空間に、略水平方向に引き出し可能とされて着脱可能な引き出しカウンタが設けられていることを特徴とするキャビネットセット。
【請求項７】
下キャビネットと、収納空間が形成されるとともに同下キャビネットの上側に載置される上キャビネットとを備えるキャビネットセットであって、
上記下キャビネットは、前側が上記上キャビネットの前側よりも手前とされるとともに、当該手前に長くされた部分の上側に所定の厚さのカウンタが設けられ、
上記上キャビネットは、上記下キャビネットの上側に載置されたときに当該下キャビネットの上側と上記収納空間の下側との間に開口部を有する下部空間が形成されるとともに、上記カウンタの奥側において同下部空間に同開口部を塞ぐ着脱可能な目隠し部材が設けられていることを特徴とするキャビネットセット。
【発明の詳細な説明】
【０００１】
【発明の属する技術分野】
本発明は、扉を有して収納空間が形成されるとともに下キャビネットの上側に載置される上キャビネット、および、同下キャビネットと上キャビネットを備えるキャビネットセットに関する。
【０００２】
【従来の技術】
従来、キャビネットのメーカーは、消費者の多様なニーズに対応するため、色調や柄のみならず、大きさ、特に幅や奥行き（前後方向の長さ）の異なる複数のタイプのキャビネットを用意している。
このようなキャビネットとして、キッチン等で食器等を収納可能な下キャビネットや、前面に上吊り式の引き戸等を有して下キャビネットの上側に載置される上キャビネットが知られている。ここで、デザイン上の理由や、奥行きを揃えることにより下キャビネットの上面の処理が不要になる等の理由から、奥行きが略等しい上キャビネットと下キャビネットとがセットとされて販売されるのが通常である（例えば、特許文献１参照。）。
【０００３】
【特許文献１】
特開２０００−２３６９６７号公報（段落００１９−００２４、第１図）
【０００４】
【発明が解決しようとする課題】
上述した従来の技術においては、消費者の多様なニーズに応えるために、上キャビネットと下キャビネットの双方において、奥行きの異なる複数のタイプを用意しておく必要があるため、引き戸等の部品の種類が多くなっており、製造コストが高いという問題があった。また、キャビネットセットの使い勝手を向上させたいという希望もあった。
【０００５】
本発明は、上記課題にかんがみてなされたもので、良好な見た目を維持しながら、奥行きが異なる等、複数の下キャビネットに対して一つの奥行きの上キャビネットを組み合わせ可能にして、上キャビネットの扉の共通化等によりキャビネットを製造する際のコストを低減させるとともに、キャビネットセットの使い勝手を向上させることが可能なキャビネットセットおよびキャビネットの提供を目的とする。
【０００６】
【課題を解決するための手段】
上記目的を達成するため、請求項１にかかる発明は、扉を有して収納空間が形成されるとともに下キャビネットの上側に載置される上キャビネットであって、上記下キャビネットの上側に載置されたときに当該下キャビネットの上側と上記収納空間の下側との間に開口部を有する下部空間が形成されるとともに、当該下部空間に、略水平方向に引き出し可能とされて着脱可能な引き出しカウンタと同開口部を塞ぐ着脱可能な目隠し部材とが選択的に設けられる構成としてある。
【０００７】
下キャビネットの上側に上キャビネットを載置すると、上キャビネットの収納空間の下側と下キャビネットの上側との間に、開口部を有する下部空間が形成される。
上記下部空間に引き出しカウンタが設けられた上キャビネットでは、引き出しカウンタを略水平方向に引き出すことにより、同引き出しカウンタの上に食器や様々な小物等を置くことができるので、便利である。また、引き出しカウンタを上キャビネットから取り外したとき、上キャビネットの収納空間の下側と下キャビネットの上側との間に空間が形成される。
【０００８】
一方、引き出しカウンタが設けられていない上キャビネットでは、下部空間の開口部は目隠し部材により塞がれるので、違和感を生じさせない。すなわち、引き出しカウンタの設けられたキャビネットセットと引き出しカウンタの設けられていないキャビネットセットとで、上キャビネットを共通にしても、上キャビネットの収納空間の下側に形成される空間を利用して引き出しカウンタ又は目隠し部材を選択的に設けることで対応できるので、それぞれのタイプに対応するサイズの扉等を用意する必要がなくなって上キャビネットを共通にして扉等の部品の種類を少なくさせることができ、部品のコストを下げることができる。さらに、使用場面に応じて引き出しカウンタと目隠し部材とを選択することができるし、上キャビネットの収納空間の下側に形成される下部空間により上キャビネットに扉を取り付けたり上キャビネットから扉を取り外したりする作業を容易に行うことができるので、キャビネットセットの使い勝手を向上させることができる。
【０００９】
本上キャビネットを有するキャビネットセットは、食器棚等の戸棚、家具等を収容する収納庫、等、様々なものが考えられる。むろん、上キャビネットや下キャビネットは、それぞれ複数のサブキャビネットを積み重ねるものであってもよい。また、上キャビネットを食器棚、下キャビネットを収納庫といったように、上下キャビネットは異なる機能を有するものとされていてもよい。
上記キャビネットセットにおける上下関係は使用場面を考慮して下キャビネットの上側に上キャビネットが配置された場合を基準とした上下関係をいうものである。従って、例えば輸送中等のように横置きにされたり天地逆に配置された場合であっても、下キャビネット側を下方とし上キャビネット側を上方としてみたときに各請求項に記載された発明と実質的に同一であれば同請求項に記載された発明に含まれる。
【００１０】
ここで、請求項２にかかる発明のように、上記引き出しカウンタは、上記開口部を臨む方向を基準として上記下キャビネットと本上キャビネットとの奥行きが略同じであるときに上記下部空間に設けられ、上記目隠し部材は、上記下キャビネットが本上キャビネットよりも長い奥行きであるときに上記下部空間に設けられる構成としてもよい。
引き出しカウンタが設けられたキャビネットセットでは、下キャビネットの奥行きが上キャビネットの奥行きと略同じであるのでデザインが良好である。また、引き出しカウンタを略水平方向に引き出すことにより、同引き出しカウンタの上に様々な小物等を置くことができるので便利であるとともに、キッチン等の室内空間を有効に利用することができる。一方、引き出しカウンタが設けられていないキャビネットセットでは、下キャビネットの奥行きが上キャビネットの奥行きよりも長いので、下キャビネットにおける上キャビネットよりも長くされた部分の上側に様々な小物等を置くことが可能である。その際、下部空間の開口部は目隠し部材により塞がれるので、違和感を生じさせない。すなわち、下キャビネットが上キャビネットと略同じ奥行きのキャビネットセットと上キャビネットよりも長い奥行きのキャビネットセットとで、良好な見た目を維持しながら使い勝手を向上させることができる。
【００１１】
また、請求項３にかかる発明のように、上記引き出しカウンタは、上記開口部を臨む方向を基準として上記下キャビネットの前側と本上キャビネットの前側が略同じ位置であるときに上記下部空間に設けられ、上記目隠し部材は、上記下キャビネットの前側が本上キャビネットの前側よりも手前であるときに上記下部空間に設けられる構成としてもよい。
引き出しカウンタが設けられたキャビネットセットでは、下キャビネットの前側が上キャビネットの前側と略同じ位置であるのでデザインが良好である。また、引き出しカウンタを略水平方向に引き出すことにより、同引き出しカウンタの上に様々な小物等を置くことができるので便利であるとともに、キッチン等の室内空間を有効に利用することができる。一方、引き出しカウンタが設けられていないキャビネットセットでは、下キャビネットの前側が上キャビネットの前側よりも手前であるので、下キャビネットにおける上キャビネットよりも手前に長くされた部分の上側に様々な小物等を置くことが可能である。その際、下部空間の開口部は目隠し部材により塞がれるので、違和感を生じさせない。
【００１２】
ここで、請求項４にかかる発明のように、上記前側が本上キャビネットの前側よりも手前とされた下キャビネットは、手前に長くされた部分の上側に所定の厚さのカウンタが設けられ、上記目隠し部材は、同カウンタの奥側に当接して上記下部空間に設けられている構成としてもよい。
引き出しカウンタが設けられていないキャビネットセットでは、下キャビネットの上側に設けられた所定の厚さのカウンタの上に様々な小物等を置くことができるので便利である。そして、このカウンタが奥側で目隠し部材と当接しているので、目隠し部材とカウンタとの収まりを向上させることができる。
【００１３】
ところで、上キャビネットに上吊り式の引き戸を設けた構成の一例として、請求項５にかかる発明のように、略並行とされた上レールおよび下レールが設けられ、上記扉は、上端部にて同上レールに吊り下げられるとともに同上レールおよび下レールに沿って開閉動可能に設けられた引き戸であり、同下レールは、上記収納空間の下端部に設けられて略下方に向かって開口した案内溝が形成され、同引き戸は、略上方に付勢されて同案内溝に挿入されるとともに略下方への引っ張り操作により同案内溝から引き抜くことが可能な挿入部材が下端部に設けられている構成としてもよい。
【００１４】
すなわち、引き戸の下端部に設けられた挿入部材を手で略下方へ引っ張る操作を行うと、下レールの案内溝から引き抜くことが可能である。引き戸を上キャビネットに取り付けるときには、挿入部材を略下方へ引っ張ると下レールの案内溝の開口した部分に移動させることができ、同案内溝に挿入させて上キャビネットに対して引き戸を開閉動可能に取り付けることができる。ここで、下キャビネットの上側に載置された上キャビネットの収納空間の下側と、同下キャビネットの上側との間には、下部空間が形成されている。従って、この下部空間に手を入れて挿入部材を引っ張り続けることができ、容易に引き戸を上キャビネットに取り付けることができる。
【００１５】
一方、引き戸を上キャビネットから取り外すときには、挿入部材を手で略下方へ引っ張ると下レールの案内溝から引き抜くことができるので、引き戸の下端部を下レールから外すことができ、上キャビネットから引き戸を取り外すことができる。ここでも、上キャビネットの収納空間の下側と下キャビネットの上側との間に下部空間が形成されているので、この下部空間に手を入れて挿入部材を引っ張ることができ、容易に引き戸を上キャビネットから取り外すことができる。
そして、上記下部空間を有する複数のキャビネットセットを用意する際に同空間の高さを調整することにより、引き戸を共通化させる等、上キャビネットの汎用性を向上させてキャビネットを製造する際のコストを低減させることが可能となる。
なお、上下レールは、互いに略並行とされていればよく、略平行のみならず、曲線状に略並行とされていてもよい。
【００１６】
上記引き出しカウンタを有するキャビネットセットは、単独でも引き出した引き出しカウンタの上に様々な小物等を置くことができる。そこで、請求項６にかかる発明は、下キャビネットと、収納空間が形成されるとともに同下キャビネットの上側に載置される上キャビネットとを備えるキャビネットセットであって、上記下キャビネットは、上記上キャビネットと略同じ奥行きとされ、上記上キャビネットは、上記下キャビネットの上側に載置されたときに当該下キャビネットの上側と上記収納空間の下側との間に下部空間が形成されるとともに、当該下部空間に、略水平方向に引き出し可能とされて着脱可能な引き出しカウンタが設けられている構成としてある。
すなわち、引き出しカウンタを略水平方向に引き出して様々な小物等を置くことができるので、便利であり、使い勝手がよい。また、引き出しカウンタをキャビネットから取り外したとき、上キャビネットの収納空間の下側と下キャビネットの上側との間に下部空間が形成される。従って、例えば、引き出しカウンタを有する高さの異なる複数のキャビネットセットを用意する際には、下部空間の高さを調整することにより、上キャビネットの扉を共通化させる等、上キャビネットの汎用性を向上させてキャビネットセットを製造する際のコストを低減させることが可能となる。
【００１７】
一方、請求項７にかかる発明のように、下キャビネットと、収納空間が形成されるとともに同下キャビネットの上側に載置される上キャビネットとを備えるキャビネットセットであって、上記下キャビネットは、前側が上記上キャビネットの前側よりも手前とされるとともに、当該手前に長くされた部分の上側に所定の厚さのカウンタが設けられ、上記上キャビネットは、上記下キャビネットの上側に載置されたときに当該下キャビネットの上側と上記収納空間の下側との間に開口部を有する下部空間が形成されるとともに、上記カウンタの奥側において同下部空間に同開口部を塞ぐ着脱可能な目隠し部材が設けられている構成としてもよい。
すなわち、カウンタの上に様々な小物等を置くことができるので、便利であり、使い勝手がよい。また、目隠し部材が下部空間の開口部に設けられているので、見た目が良好である。さらに、目隠し部材をキャビネットから取り外したとき、上キャビネットの収納空間の下側と下キャビネットの上側との間に下部空間が形成される。従って、例えば、目隠し部材を有する高さの異なる複数のキャビネットセットを用意する際には、下部空間の高さを調整することにより、上キャビネットの扉を共通化させる等、上キャビネットの汎用性を向上させてキャビネットセットを製造する際のコストを低減させることが可能となる。
【００１８】
【発明の効果】
以上説明したように、請求項１、請求項６、請求項７にかかる発明によれば、良好な見た目を維持しながら、複数の下キャビネットに対して一つの奥行きの上キャビネットを組み合わせ可能にし、上キャビネットの扉等の共通化を図ることによりキャビネットを製造する際のコストを低減させるとともに、キャビネットセットの使い勝手を向上させることが可能となる。
【００１９】
請求項２、請求項３にかかる発明によれば、引き出しカウンタが設けられたキャビネットセットと目隠し部材が設けられたキャビネットセットとで、良好な見た目を維持しながら使い勝手を向上させることが可能となる。
【００２０】
請求項４にかかる発明によれば、目隠し部材が設けられたキャビネットセットの利便性を向上させることができるとともに、より確実に目隠し部材を上キャビネットに取り付けることが可能となる。
【００２１】
請求項５にかかる発明によれば、引き戸を共通化させる等、上キャビネットの汎用性を向上させてキャビネットを製造する際のコストを低減させることが可能であるとともに、上キャビネットに対して容易に引き戸を取り付けたり取り外したりすることが可能となる。
【００２２】
【発明の実施の形態】
以下、下記の順序に従って本発明の実施形態を説明する。
（１）キャビネットセットの構成：
（２）引き出しカウンタを有するキャビネットセットを組み立てる手順：
（３）引き出しカウンタを有する上キャビネットから引き戸を外す手順：
（４）固定カウンタを有するキャビネットセットに対して引き戸を着脱する手順：
（５）変形例：
【００２３】
（１）キャビネットセットの構成：
図１は本発明の一実施形態にかかるキャビネットセット１００，２００を正面から見て示す正面図であり、図２は各キャビネットセット１００，２００を図１の右側から見て示す右正面図である。図に示すように、キャビネットセット１００は食器等を収納可能な下キャビネット１０の奥行き（前後方向の長さ）が短いタイプとされ、キャビネットセット２００は下キャビネット１１０の奥行きが長いタイプとされている。なお、両キャビネットセット１００，２００で構造が同じ部材については同じ符号を付している。また、以下の明細書中、上下を説明するときは図１、図２を基準とするものとし、左右を説明するときは図１を基準とするものとし、前後を説明するときは図２を基準とするものとする。
【００２４】
両図の左側に示したキャビネットセット１００は、天板のない外形が概略箱形の下キャビネット１０、下キャビネット１０の上側に載置される外形が概略直方体状の上キャビネット２０を備えている。上下キャビネット１０，２０の奥行きは、略同じとされている。上下キャビネット１０，２０の背面の位置は揃えているので、下キャビネット１０の前側と上キャビネット２０の前側は略同じ位置とされている。上キャビネット１０は、引き戸（扉）２５，２６を有しており、同引き戸２５，２６の背面側に食器等を収納可能な収納空間２９が形成されている。また、収納空間２９の下側の位置に、引き出しカウンタ３０が上キャビネット２０に対して着脱可能に取り付けられている。この引き出しカウンタ３０は略水平方向に前方向へ引き出し可能とされているため、引き出されたカウンタ３０の上に食器や様々な小物等を仮置きすることができ、便利であり、使い勝手がよい。従って、本キャビネットセット１００は、室内の空間を有効利用することが可能となっており、利便性の大きなものとなっている。
【００２５】
一方、両図の右側に示したキャビネットセット２００は、天板のない外形が概略箱形の下キャビネット１１０、下キャビネット１１０の上側に載置される上キャビネット２０を備えている。下キャビネット１１０は、上キャビネット２０よりも長い奥行きとされている。上下キャビネット１１０，２０の背面の位置は揃えているので、下キャビネット１１０の前側は、上キャビネット２０の前側よりも手前にされている。前側が上キャビネット２０の前側よりも手前とされた下キャビネット１１０は、手前に長くされた部分の上側に所定の厚さの板状の固定カウンタ（カウンタ）１６０が設けられている。固定カウンタ１６０の上に様々な小物等を置くことができるので、便利であり、使い勝手がよい。上キャビネット２０の収納空間２９の下側の位置には、面材とされた目隠し部材１３０が上キャビネット２０に対して着脱可能に取り付けられている。目隠し部材１３０は、固定カウンタ１６０の奥側に当接し、上キャビネットの収納空間２９の下側に形成される所定の高さの下部空間に設けられ、同下部空間を隠している。
なお、本実施形態では、下キャビネット１１０は、下キャビネット１０と略同じ高さとされ、キャビネットセット１００，２００は同じ高さとされている。従って、両キャビネットセットは、統一感のあるデザインとされている。
【００２６】
ここで、下キャビネット１１０は、前から臨む方向（キャビネットセット１００における引き出しカウンタ３０の引き出し方向に対応する所定の方向、すなわち、目隠し部材１３０を臨む方向）を基準として下キャビネット１０よりも前側に長くされている。そして、長くされた部分の上側に所定の厚さの固定カウンタ１６０が設けられている。従って、固定カウンタ１６０の上に様々な小物等を置くことができ、キャビネットセット２００は便利である。また、同カウンタ１６０は、上キャビネット２０の下面と下キャビネット１１０の上側との境界部分に配置されているので、当該境界部分を隠すことになり、見た目を良好にさせている。
【００２７】
上キャビネットには、引き出しカウンタと目隠し部材とが選択的に設けられるようになっている。また、両キャビネットセット１００，２００で上キャビネットを共通にしているが、引き出しカウンタ３０の高さと固定カウンタ１６０の高さとを調整することにより、両キャビネットセット１００，２００のデザインの自由度を向上させることができるし、キャビネットセット２００に形成される下部空間により両キャビネットセット１００，２００のデザインの自由度が大きくなっている。本実施形態では、高さの異なる引き出しカウンタ３０と固定カウンタ１６０がそれぞれ設けられているが、キャビネットセット２００に形成される下部空間により、同じ上キャビネット２０を使用することができるようになっている。また、見た目を良好にさせ、デザインに優れた統一感のある複数のキャビネットセットを提供することができる。
【００２８】
キャビネットセット１００の上キャビネット２０は、引き出しカウンタ３０の他、木製の本体部２１，２２と、本体部２１，２２の前面側における上下端部に略並行に設けられたアルミニウム製の上レール２３および下レール２４と、上下レール２３，２４に沿って開閉動可能に設けられた第一の引き戸２５および第二の引き戸２６とを有している。一対の引き戸２５，２６は、上吊り式とされており、上端部にて上レール２３に吊り下げられている。本実施形態の上下レール２３，２４は、直線状とされているため、略平行に設けられていることになるが、略平行とされていればともに曲線状とすることも可能である。
上キャビネット２０は高さが約１５００ｍｍあるため、搬入して組み立てる作業を考慮して、本体部は、下本体部２２と、この下本体部２２の上側にねじ止めにより固定される上本体部２１と、上下二段から構成されている。
【００２９】
図３は、上キャビネット２０の要部を左側から断面視して示す断面図である。分かりやすく説明するため、図では引き戸２５，２６を前後に重ねた位置にし、一部の部材については側面視している。
引き戸２５，２６は、略長方形の板状のガラス板２５ａ，２６ａを、外縁部と内縁部とがともに略長方形とされた枠体状のアルミニウム製の枠２５ｂ，２６ｂで支持した扉である。ガラス板を採用したことによりキャビネットの見た目を良好にさせることができ、アルミニウム製の枠を採用したことにより軽量ながら十分な強度を得ることができる。
【００３０】
ここで、第二の引き戸２６は、第一の引き戸２５よりも本体部２１，２２から離れた位置（前面側）にて左右方向に移動可能（開閉動可能）とされている。引き戸２５，２６の上端部には、それぞれ本体部２１，２２方向に延出して先端から略下方に突出した突出部２５ｃ，２６ｃが形成されている。同突出部２５ｃ，２６ｃは、引き戸２５，２６の上端部の二箇所（図１の点線部）に形成されている。具体的には、引き戸２５，２６の上端部から本体部方向に折り曲げられて延出しているアルミニウム製の延出部２５ｃ１，２６ｃ１（図３で側面視）が形成され、同延出部２５ｃ１，２６ｃ１に対して下方突出部２５ｃ２，２６ｃ２がねじにより固定されている。同下方突出部２５ｃ２，２６ｃ２の下端には、それぞれ上レール２３に沿って転動可能なローラ２５ｃ３，２６ｃ３が取り付けられている。
【００３１】
また、引き戸２５，２６の下端部には、それぞれ本体部２１，２２方向に延出したアルミニウム製の挿入部材支持部２５ｄ，２６ｄ（図３で側面視）が形成されており、同挿入部材支持部２５ｄ，２６ｄに対して略上下動可能に挿入部材２５ｅ，２６ｅ（図３で側面視）が支持されている。具体的には、挿入部材支持部２５ｄ，２６ｄの本体部側端部に上下方向に貫通した貫通穴が形成されており、同貫通穴に挿入部材２５ｅ，２６ｅの円柱状の中心軸材が挿入されている。挿入部材２５ｅ，２６ｅは、例えばねじが中心軸材に外嵌されて固定されることにより上端部２５ｅ１，２６ｅ１と下端部２５ｅ２，２６ｅ２が太くされて同貫通穴から脱落しないようにされている。また、上端部２５ｅ１，２６ｅ１と挿入部材支持部２５ｄ，２６ｄとの間でコイルスプリング２５ｅ３，２６ｅ３が中心軸材に外嵌されている。ここで、スプリング２５ｅ３，２６ｅ３は略上下方向に押された状態で中心軸材に外嵌されているので、下端が挿入部材支持部２５ｄ，２６ｄに当接したスプリング２５ｅ３，２６ｅ３は挿入部材支持部２５ｄ，２６ｄの上端部２５ｅ１，２６ｅ１を略上方に付勢する。すなわち、挿入部材２５ｅ，２６ｅは、略上方に付勢されるとともに、下端部２５ｅ２，２６ｅ２を手で引っ張ることが可能となっている。
【００３２】
上レール２３は、上キャビネットの上本体部２１の前側上端部に設けられており、同上本体部２１にて前方に向かって延出した上本体延出部２１ａに対してねじにより固定されている。同上レール２３は、垂直断面において略上方が開口した略Ｕ字形とされ、略Ｕ字形とされた上レール２３の下側となる基底部には略上方に向かって突出した第一の載置部２３ａおよび第二の載置部２３ｂが形成されている。載置部２３ａ，ｂは、上レール２３の長手方向に沿って直線状に設けられている。また、略Ｕ字形とされた上レール２３の相対向する左右の内側面には、適宜、略鉛直方向を回転軸として転動可能とされた複数の補助ローラ２３ｃ，ｄが取り付けられている。
載置部２３ａ，ｂには、引き戸の突出部２５ｃ，２６ｃの先端となるローラ２５ｃ３，２６ｃ３が載置されるようになっている。ローラ２５ｃ３，２６ｃ３の外周には、載置部２３ａ，ｂの上側の凸形状に合わせて鉛直方向の断面において窪みが形成されているので、同突出部２５ｃ，２６ｃを上レール２３に沿って確実に移動可能とさせる。そこで、ローラ２５ｃ３，２６ｃ３を載置部２３ａ，ｂに載置すると、引き戸２５，２６を上レール２３に沿ってスライドさせるように開閉動可能に吊り下げることができる。ここで、引き戸を開閉動させるときに上レールに載置されたローラ２５ｃ３，２６ｃ３が転動するので、引き戸の開閉動をスムーズにさせることができる。また、下方突出部２５ｃ２，２６ｃ２の前後の側面部で補助ローラ２３ｃ，ｄが接触して転動するので、この点でも引き戸の開閉動をスムーズにさせることができる。
以上により、確実に引き戸を開閉動可能に吊り下げ支持することができる。
【００３３】
下レール２４は、上キャビネットの下本体部２２の前側下端部に設けられており、同下本体部２２の底板２２ａに対してねじにより固定されている。同下レール２４は、略下方に向かって開口した第一の案内溝２４ａおよび第二の案内溝２４ｂが形成されている。同案内溝２４ａ，ｂは、それぞれ垂直断面において略下方が開口した略コ字形とされ、略コ字形とされた案内溝２４ａ，ｂの相対向する左右の側面は略鉛直とされている。引き戸の下端部に設けられた挿入部材２５ｅ，２６ｅは、略上方に付勢されて案内溝２４ａ，ｂに挿入されるようになっている。そして、挿入部材の下端部２５ｅ２，２６ｅ２を略下方へ引っ張る操作を行うことにより、挿入部材２５ｅ，２６ｅを案内溝から引き抜くことが可能となっている。
ここで、挿入部材の上端部２５ｅ１，２６ｅ１には略鉛直方向を回転軸として転動可能とされたローラ２５ｅ４，２６ｅ４が外嵌されており、当該ローラ２５ｅ４，２６ｅ４が案内溝２４ａ，ｂにおける略鉛直とされた側面に接触するようになっている。すると、引き戸を開閉動させるときにローラ２５ｅ４，２６ｅ４が案内溝２４ａ，ｂの側面に接触して転動するので、引き戸の開閉動をスムーズにさせることができる。
なお、上下レール２３，２４はアルミニウム製とされているので、軽量化を図りながら十分な強度を得ることができる。
【００３４】
以上説明したように、引き戸２５，２６は鉛直方向の断面が略コ字形とされているが、前面側の第二の引き戸２６は、背面側の第一の引き戸２５の略コ字形の外側で断面略コ字形となるように形成されている。具体的には、第二の引き戸の突出部２５ｃは第一の引き戸の突出部２６ｃより上方にて第二の引き戸２６から本体部方向に延出し、第二の引き戸の挿入部材支持部２６ｄは第一の引き戸の挿入部材支持部２５ｄより下方にて第二の引き戸２６から本体部方向に延出している。また、第二の引き戸のローラ２５ｃ３を載置する第二の載置部２３ｂは第一の引き戸のローラ２６ｃ３を載置する第一の載置部２３ａよりも本体部側とされ、第二の引き戸の挿入部材２６ｅが挿入される第二の案内溝２４ｂは第一の引き戸の挿入部材２５ｅが挿入される第一の案内溝２４ａよりも本体部側とされている。
【００３５】
すなわち、前面側の引き戸２６は、背面側の引き戸２５よりも前面側にて開閉動可能である一方、突出部２５ｃと挿入部材２５ｅとが背面側の引き戸の突出部２６ｃや挿入部材２６ｅよりも背面側とされている。従って、両引き戸２５，２６は接触することなく、幅方向全ての位置において互いに移動が制限されることなく自由に開閉動可能とされる。ここで、前面側の引き戸の挿入部材２６ｅは、背面側の引き戸の挿入部材２５ｅよりも略上下方向のストロークを多くとる必要があるし、背面側にある。このため、引き戸を取り付けたり取り外したりする際、背面側の引き戸では前面側の引き戸よりも手で挿入部材を引っ張る距離が長くなり、さらに上キャビネットの下側でより奥のほうまで手を入れなければならない。
【００３６】
従来、下キャビネットの上側に載置された上キャビネットから引き戸を取り外す際には、例えば上キャビネットを若干背面側に倒す等して引き戸の下側に手を入れる空間を作る必要があった。このため、上キャビネットから引き戸を取り外す作業は大変面倒であり、容易に行うことができるものではなかった。また、キャビネットを組み立てる際にも、上キャビネットの本体部を若干背面側に倒す等して同本体部の下側に手を入れる空間を作る必要があったため、上キャビネットに引き戸を取り付ける作業も大変面倒であり、容易に行うことができなかった。
本実施形態のキャビネットセット１００には、上キャビネットの収納空間２９の下側で、略水平方向に引き出し可能な引き出しカウンタ３０を設けている。また、本実施形態のキャビネットセット２００には、上キャビネットの収納空間２９の下側に形成される下部空間の開口部を塞ぐ目隠し部材１３０を設けている。
【００３７】
（２）引き出しカウンタを有するキャビネットセットを組み立てる手順：
次に、引き出しカウンタを有するキャビネットセットを組み立てる手順を説明する。
図４は、引き出しカウンタ３０が設けられたキャビネットセット１００を組み立てるにあたり、下キャビネット１０の上側に上キャビネット２０を載置する様子を分解斜視図により示している。
まず、下キャビネット１０の上側に上キャビネットの下本体部２２を載置する。取り付けられる引き戸を前にして臨む位置を基準として、下本体部２２の左右となる両側面２２ｂ，２２ｂには、略下方に延出した一対の側面下方延出部２２ｃ，２２ｃが形成されている。また、図示されていないが、上キャビネットの下本体部２２の背面にも、略下方に延出した背面下方延出部が形成されている。これらの側面下方延出部２２ｃ，２２ｃの下側縁部と背面下方延出部の下側縁部とが、下キャビネット１０の上側に当接するようになっている。
【００３８】
ここで、所定の位置に合わせて下キャビネット１０の上側に下本体部２２を載置すると、下本体部２２は下キャビネット１０上の所定の位置に配置される。そして、適宜ねじ止め金具を用いてねじ止めを行うことにより、下本体部を下キャビネットに固定する。
【００３９】
次に、下本体部２２の上側に上本体部２１を載置する。ここで、所定の位置に合わせて下本体部２２の上側に上本体部２１を載置すると、上本体部２１は下本体部２２上の所定の位置に配置され、上キャビネット２０の本体部が構成される。そして、上キャビネットの収納空間２９は、上本体部２１の収納空間２９ａと下本体部２２の収納空間２９ｂとから構成される。なお、適宜ねじ止め金具を用いてねじ止めを行うことにより、上本体部を下本体部に固定する。
すると、図５に示すように、下本体部の収納空間２９ｂの下側と下キャビネット１０の上側との間に、一対の側面下方延出部２２ｃ，２２ｃに挟まれた所定の高さの下部空間５０が形成される。図では、下部空間５０の高さをＨと記載している。下部空間５０は、略上下方向のストロークの大きい挿入部材２６ｅの引っ張り操作を十分に行うことができる高さ（例えば約６ｃｍ）とされている。このように、上キャビネットの収納空間の下側に下部空間５０を形成したことにより、引き戸２５，２６を取り付ける際に下部空間５０に手を入れて作業を行うことができる。
【００４０】
なお、引き出しカウンタを有する複数のキャビネットセットを用意する際、引き出しカウンタが下部空間に設けられているので、見た目が良好である。さらに、引き出しカウンタをキャビネットから取り外したとき、上キャビネットの収納空間の下側と下キャビネットの上側との間に下部空間が形成される。この下部空間の高さを調整することにより、上キャビネットの扉を共通化させる等、上キャビネットの汎用性を向上させてキャビネットセットを製造する際のコストを低減させることが可能となる。このように、本発明によると、下キャビネットの上側に載置される上キャビネットの汎用性を向上させてキャビネットを製造する際のコストを低減させることが可能となる。その際、良好な見た目を維持しながら、キャビネットセットの使い勝手を向上させることも可能となる。
【００４１】
図６〜図９は、引き戸２５，２６を上キャビネット２０の前面に取り付ける様子を要部断面図により示している。
前面側の第二の引き戸２６は、背面側の第一の引き戸２５の略コ字形の外側で断面略コ字形となるように形成されている。従って、先に背面側の引き戸２５を上キャビネットに取り付ける。
図６の上段に示すように、まず、引き戸２５の上端部にある突出部２５ｃを、上レール２３の上方から同上レール２３の前面側の載置部２３ａ上に載置する。具体的には、垂直断面において略上方に突出した載置部２３ａに、突出部２５ｃの下側の先端にあるローラ２５ｃ３の窪み部分を載せる。この状態を図の下段に示している。
【００４２】
このとき、図７の上段に示すように、引き戸２５の下端部では、スプリング２５ｅ３により挿入部材２５ｅが略上方に付勢されており、そのままでは下レール２４の前面側の案内溝２４ａに挿入することができない。そこで、引き戸２５の下側に手を入れて挿入部材の下端部２５ｅ２を略下方に引っ張る操作を行うと、図の下段に示すように、挿入部材の上端部２５ｅ１は略下方に向かって開口した案内溝２４ａの前面側側面２４ｃの下側を通って前面側の案内溝２４ａの開口２４ｄの位置まで移動可能となる。ここで、引き戸２５の下側には、一対の側面下方延出部２２ｃ，２２ｃに挟まれた所定の高さの下部空間５０が形成されているので、下部空間５０に手を入れて挿入部材２５ｅを引っ張り続けて挿入部材２５ｅを背面側に移動させることができる。そして、挿入部材の下端部２５ｅ２から手を離すと、図９の上段に示すように、スプリング２５ｅ３の付勢力により挿入部材２５ｅは案内溝２４ａに挿入される。すると、引き戸２５は上端部の突出部２５ｃにて上レール２３に吊り下げられて支持され、略並行とされた上下レールの載置部２３ａと案内溝２４ａとに沿ってスライドするように移動可能とされ、開閉動可能とされる。
【００４３】
その後、前面側の引き戸２６を上キャビネットに取り付ける。
図８の上段に示すように、引き戸２６の上端部にある突出部２６ｃを、引き戸２５の突出部２５ｃを超えて上レール２３の上方から同上レール２３の背面側の載置部２３ａ上に載置する。図の下段に示すように、略上方に突出した載置部２３ａに、突出部２６ｃの下側の先端にあるローラ２６ｃ３の窪み部分を載せることになる。
【００４４】
このとき、図９の上段に示すように、引き戸２６の下端部では、スプリング２６ｅ３により挿入部材２６ｅが略上方に付勢されている。そこで、引き戸２６の下側に手を入れて挿入部材の下端部２６ｅ２を引っ張る操作を行うと、図の下段に示すように、挿入部材の上端部２６ｅ１は引き戸２５の挿入部材２５ｅの下側を通って背面側の案内溝２４ａの開口２４ｅの位置まで移動可能となる。ここで、引き戸２６の下側には略上下方向のストロークの大きい挿入部材２６ｅの引っ張り操作を十分に行うことができる所定の高さの下部空間５０が形成されているので、下部空間５０に手を入れて挿入部材２６ｅを引っ張り続けて挿入部材２６ｅを背面側に移動させることができる。そして、挿入部材の下端部２６ｅ２から手を離すと、図３で示したように、挿入部材２６ｅは案内溝２４ｂに挿入される。すると、引き戸２６は上端部の突出部２６ｃにて上レール２３に吊り下げられて支持され、略並行とされた上下レールの載置部２３ｂと案内溝２４ｂとに沿って移動可能とされ、開閉動可能とされる。
このように、上キャビネットの収納空間の下側に、所定の高さの下部空間５０を形成したことにより、容易に引き戸２５，２６を上キャビネット２０に取り付けることができる。
【００４５】
引き戸を上キャビネットに取り付けると、図１０に示すように、上キャビネットの収納空間の下側と下キャビネットの上側との間に形成された下部空間５０に引き出しカウンタ３０を挿入し、同引き出しカウンタ３０を上キャビネット２０に取り付ける。
図１１の要部側面図に示すように、引き出しカウンタ３０の左右側面には、一対のスライド部材３１，３１（左側のスライド部材は図示されていない）が水平方向に向けて設けられている。これらのスライド部材３１，３１は、上キャビネットの側面下方延出部２２ｃ，２２ｃの内側面に設けられた断面略コ字形の一対のレール４０，４０（左側のレールは図示されていない）に対してスライド可能に挿入可能となっている。図示していないが、レール４０とスライド部材３１との間には、引き出しカウンタ３０が所定の引き出し位置にあるときに互いに軽く掛止するとともに引き出しカウンタ３０を強く引き出すことにより掛止状態が解除してレール４０からスライド部材３１を引き抜くことが可能な掛止機構が形成されている。図の点線部分は、引き出しカウンタ３０が所定の引き出し位置にある状態を示している。図に示すように、引き出しカウンタ３０が下部空間５０に挿入されると、所定の引き出し位置でレール４０とスライド部材３１とが掛止するので、引き出しカウンタ３０は、最も背面側となる所定の収容位置と最も前面側となる上記引き出し位置との間で略水平方向に引き出し可能となる。
【００４６】
引き出しカウンタ３０を軽く引き出したとき、レール４０とスライド部材３１とが掛止し、上記引き出し位置にある引き出しカウンタ３０は上キャビネット２０から脱落しない。引き出しカウンタ３０を強く引き出すと、掛止状態が解除され、引き出しカウンタ３０を前方向に引き出して取り外すことが可能となる。
すなわち、上記掛止機構により、引き出しカウンタ３０を下部空間５０にて上キャビネット２０に対して着脱可能に取り付けることができる。
このように、引き出しカウンタを強く引き出すという簡易な操作で容易に引き出しカウンタを上キャビネットから取り外すことができる。
【００４７】
（３）引き出しカウンタを有する上キャビネットから引き戸を外す手順：
一方、引き戸２５，２６を上キャビネットから取り外すときには、上述した手順とは逆の手順で作業を行えばよい。
まず、引き出しカウンタ３０を強く引き出し、上キャビネットから取り外す。すると、上キャビネットの収納空間２９の下側と下キャビネット１０の上側との間に下部空間５０が形成される。
ここで、第二の引き戸２６の下側には背面側の引き戸の挿入部材２５ｅよりも背面側にあってかつ略上下方向のストロークの大きい挿入部材２６ｅの引っ張り操作を十分に行うことができる下部空間５０が形成されているので、下部空間５０の奥のほうまで手を入れて挿入部材２６ｅを略下方へ引っ張ることができ、下レールの案内溝２４ｂから引き抜くことができる。そして、挿入部材２６ｅを前面側に移動させると、図９の下段で示したように前面側の引き戸２６の下端部を下レール２４から外すことができる。そして、引き戸２６の突出部２６ｃを上レール２３から外すと、図８の上段で示した状態となり、引き戸２６を上キャビネット２０から取り外すことができる。
このように、手で挿入部材を引っ張る距離が長くて上キャビネットの下側でより奥のほうまで手を入れなければならないような引き戸であっても、上キャビネットの収納空間の下側と下キャビネットの上側との間に所定の高さの下部空間が形成されるので、容易に上キャビネットから取り外すことができる。
【００４８】
さらに、下部空間５０に手を入れて第一の引き戸２５の挿入部材２５ｅを略下方へ引っ張ると、下レールの案内溝２４ａから引き抜くことができる。そして、挿入部材２５ｅを前面側に移動させると、図７の下段で示したように背面側の引き戸２５の下端部を下レール２４から外すことができる。そして、引き戸２５の突出部２５ｃを上レール２３から外すと、図６の上段で示した状態となり、引き戸２５も容易に上キャビネット２０から取り外すことができる。
【００４９】
以上説明したように、上吊り式の引き戸を有する上キャビネットが下キャビネットの上側に載置されるキャビネットセット１００では、引き出しカウンタを取り外すと上下キャビネットの間に下部空間が形成されるので、下部空間に手を入れて挿入部材を略下方へ引っ張ることができる。従って、容易に引き戸を上キャビネットに対して開閉動可能に取り付けたり上キャビネットから取り外したりすることが可能となる。そして、引き戸を取り付けたり取り外したりしないときには、引き出しカウンタを上キャビネットの下面と下キャビネットの上側との間に取り付けておくことができるので、必要なときのみ引き出しカウンタを引き出して種々の小物等を置くことができるので便利である。
【００５０】
（４）固定カウンタを有するキャビネットセットに対して引き戸を着脱する手順：
一方、固定カウンタ１６０と目隠し部材１３０とを有するキャビネットセット２００を組み立てる場合も、引き出しカウンタの代わりに固定カウンタと目隠し部材を取り付ける点を除いて概略キャビネットセット１００の組み立て手順に従って組み立てることができる。
まず、図４で示したのと同様に、下キャビネット１１０の上側に上キャビネットの下本体部２２を載置し、さらに下本体部２２の上側に上本体部２１を載置する。すると、図５で示したのと同様に、下本体部２２の下面と下キャビネット１１０の上側との間に、一対の側面下方延出部２２ｃ，２２ｃに挟まれた所定の高さの下部空間が形成される。同下部空間も、略上下方向のストロークの大きい挿入部材２６ｅの引っ張り操作を十分に行うことができる高さとされている。
【００５１】
その後、図６〜図９で示したのと同様に、まず、第一の引き戸２５の突出部２５ｃを上レール２３の前面側の載置部２３ａ上に載置し、挿入部材２５ｅを略下方に引っ張り続けて上下キャビネット１１０，２０の間で形成された下部空間に手を入れて下レール２４の前面側の案内溝２４ａに挿入する。すると、引き戸２５は上端部にて上レール２３に吊り下げられて支持され、上下レールの載置部２３ａと案内溝２４ａとに沿ってスライドするように開閉動可能とされる。次に、第二の引き戸２６の突出部２６ｃを上レール２３の背面側の載置部２３ｂ上に載置し、挿入部材２６ｅを略下方に引っ張り続けて上下キャビネット１１０，２０の間で形成された下部空間に手を入れて下レール２４の背面側の案内溝２４ｂに挿入する。すると、引き戸２６も上端部にて上レール２３に吊り下げられて支持され、上下レールの載置部２３ｂと案内溝２４ｂとに沿って開閉動可能とされる。
【００５２】
図１２に示すように、本キャビネットセット２００では、上キャビネット２０の下面と下キャビネット１１０の上側との間に形成される所定の高さの下部空間１５０の開口部１５１を、目隠し部材１３０で塞ぐ。下部空間１５０の高さは、キャビネットセット１００から引き出しカウンタ３０を取り外したときに形成される下部空間５０の高さＨと同じであり、両キャビネットセット１００，２００が同じ高さとなる。
目隠し部材１３０は、開口部１５１の形状に合わせて形成されており、軽量化のため、左右方向に対する垂直断面が背面側が長くされた略Ｔ字形とされている。同部材１３０の前側縁部には、断面が略コ字形とされて開口を背面側に向けて左右方向に長くされたコ字部材１３１が取り付けられている。このコ字部材１３１は、目隠し部材１３０の本体部よりも若干長くされている。コ字部材１３１における左右両側の本体部よりも長くされた部分には、上キャビネットの側面下方延出部２２ｃ，２２ｃの内側面から前側に取り付けられた掛止部材１４０，１４０における幅方向内側に突出した凸部を挿入可能となっている。すなわち、掛止部材１４０，１４０の凸部をコ字部材１３１の両端に挿入するように目隠し部材１３０を開口部１５１に挿入すると、同部材１３０は掛止部材１４０，１４０に掛止され、同開口部１５１が塞がれる。このように、上キャビネットの収納空間の下側に形成される下部空間の開口部は、目隠し部材により塞がれるので、違和感を生じさせない。
その後、目隠し部材１３０の前側に固定カウンタ１６０の奥側を当接させ、下キャビネット１１０の上側に対して着脱可能に固定カウンタ１６０を取り付けると、キャビネットセット２００の組み立てが終了する。すると、上下キャビネット１１０，２０の境界部分は、固定カウンタ１６０により隠されるので、見た目が良好になる。また、同カウンタ１６０が下部空間１５０を隠すように配置されているので、違和感を生じさせない。
【００５３】
なお、奥行きが上キャビネット２０と略同じである下キャビネット１０に上述した掛止部材１４０，１４０を取り付けてもよい。すると、上下キャビネットの奥行きが略同じであるキャビネットセットに対して下部空間の開口部を隠す目隠し部材を下部空間に設けることができる。すなわち、上キャビネット２０は、下キャビネット１０の上側に載置されたときに下キャビネット１０の上側と収納空間２９の下側との間に形成される開口部を有する下部空間５０に、略水平方向に引き出し可能とされて着脱可能な引き出しカウンタ３０と同開口部を塞ぐ着脱可能な目隠し部材１３０とが選択的に設けられる。
また、奥行きが上キャビネット２０よりも長い下キャビネット１１０に上述したレール４０，４０を取り付けてもよい。すると、下キャビネットが上キャビネットよりも長い奥行きであるキャビネットセットに対して略水平方向に引き出し可能な引き出しカウンタを下部空間に設けることができる。すなわち、上キャビネット２０は、下キャビネット１１０の上側に載置されたときに下キャビネット１１０の上側と収納空間２９の下側との間に形成される開口部１５１を有する下部空間１５０に、略水平方向に引き出し可能とされて着脱可能な引き出しカウンタ３０と同開口部１５１を塞ぐ着脱可能な目隠し部材１３０とが選択的に設けられる。
【００５４】
このように、下キャビネットの奥行きが異なっても、上下キャビネットの奥行きが略同じであるキャビネットセットには引き出しカウンタを設け、下キャビネットが上キャビネットよりも長い奥行きであるキャビネットセットには目隠し部材と固定カウンタを設けることにより、奥行きの同じ上キャビネットを使用することができ、引き戸等の部材の共通化を図ることができる。また、引き出しカウンタの設けられたキャビネットセットと目隠し部材および固定カウンタの設けられたキャビネットセットとで、下部空間の高さを調整することによっても、上キャビネットの扉を共通化させる等、上キャビネットの汎用性を向上させてキャビネットセットを製造する際のコストを低減させることが可能となる。このように、本発明によると、下キャビネットの上側に載置される上キャビネットの汎用性を向上させてキャビネットを製造する際のコストを低減させることが可能となる。
なお、引き出した引き出しカウンタや固定カウンタの上に様々な小物等を置くことができるので、便利であり、使い勝手がよい。また、使用場面に応じて引き出しカウンタと目隠し部材とを選択することができるし、上キャビネットの収納空間の下側に形成される下部空間により上キャビネットに扉を取り付けたり上キャビネットから扉を取り外したりする作業を容易に行うことができるので、キャビネットセットの使い勝手を向上させることができる。従って、良好な見た目を維持しながら、複数の下キャビネットに対して一つの奥行きの上キャビネットを組み合わせ可能にさせて上キャビネットの扉を共通化させ、キャビネットを製造する際のコストを低減させるとともに、キャビネットセットの使い勝手を向上させることが可能となる。
【００５５】
ここで、上述したような目隠し部材と固定カウンタを有する複数のキャビネットセットを用意する際にも、固定カウンタの高さを調整することにより、複数のキャビネットセット間の統一感を向上させるとともに各キャビネットセットのデザインを良好にさせることができる。さらに、目隠し部材を上キャビネットから取り外したときに、上キャビネットの収納空間の下側に形成された下部空間の高さを調整することにより、上キャビネットの扉を共通化させる等、上キャビネットの汎用性を向上させてキャビネットセットを製造する際のコストを低減させることが可能となる。
【００５６】
また、キャビネットセット２００から固定カウンタ１６０を取り外し、目隠し部材１３０を手前に引っ張ると、コ字部材１３１の両端を掛止部材１４０，１４０から引き離すことができる。すなわち、目隠し部材１３０の掛止状態は解除され、目隠し部材１３０を前方向に引き出して開口部１５１から取り外すことが可能となる。このように、掛止部材１４０，１４０とコ字部材１３１とにより、目隠し部材１３０を所定の高さの下部空間１５０の開口部１５１に対して着脱可能に取り付けることができる。
【００５７】
引き戸２５，２６を上キャビネットから取り外すとき、まず、固定カウンタ１６０を取り外し、目隠し部材１３０を手前に引っ張って上キャビネットから取り外す。すると、固定カウンタ１６０の背面側で、上キャビネットの収納空間２９の下側と下キャビネット１０の上側との間に所定の高さの下部空間１５０が形成される。下部空間１５０に手を入れて第二の引き戸２６の挿入部材２６ｅを略下方へ引っ張ると、下レールの案内溝２４ｂから引き抜くことができ、挿入部材２６ｅを前面側に移動させて前面側の引き戸２６の下端部を下レール２４から外すことができる。そして、引き戸２６の突出部２６ｃを上レール２３から外すと、引き戸２６を上キャビネット２０から取り外すことができる。第一の引き戸２５についても、同様の手順により引き戸２５を上キャビネット２０から取り外すことができる。
このように、固定カウンタ１６０や目隠し部材１３０を有するキャビネットセット２００についても、固定カウンタ１６０の背面側で上キャビネットの収納空間の下側と下キャビネットの上側との間に所定の高さの下部空間が形成されるので、容易に上キャビネットから取り外すことができる。
【００５８】
一方、引き戸２５，２６を上キャビネットに取り付けるときにも、キャビネットセット１００の場合と同様の作用により、容易に上キャビネットに対して開閉動可能に取り付けることができる。
また、固定カウンタがあるために上下キャビネットの境界部分が前から見えないし、目隠し部材があるため上キャビネットの収納空間の下側の下部空間が外から見えないので、見た目が良好であり、本キャビネットセット２００はデザインに優れたものとなっている。
さらに、引き出しカウンタ３０を有するキャビネットセット１００とで高さを同じにしつつ引き戸の形状や構造を同じにすることができるので、両タイプのキャビネットセット１００，２００を製造する際に共通の部品が多くなって部品の種類を少なくさせることができる。従って、部品のコストを下げることができるし、部品の管理もしやすくなって、ひいてはキャビネットセット全体の製造コストを下げることができる。
【００５９】
以上説明したように、本発明によると、下キャビネットの奥行きが違っても、略同じ奥行きとされた上下キャビネットを備えるキャビネットセットに引き出しカウンタを設け、上キャビネットよりも長い奥行きとされた下キャビネットを備えるキャビネットセットに目隠し部材と固定カウンタを設けることにより、上キャビネットに同じ引き戸を取り付けることができ、略同一の上キャビネットを使用することができる。また、引き出しカウンタが設けられたキャビネットと引き出しカウンタが設けられていないキャビネットとで上キャビネットを共通にしても、上キャビネットの収納空間の下側に形成される下部空間によりデザインの自由度を向上させることができる。また、下キャビネットの奥行きが異なる等により引き出しカウンタが設けられたタイプと目隠し部材が設けられたタイプのキャビネットセットを製造する際に上キャビネットを共通にして引き戸等の部品の種類を少なくさせることができ、部品のコストを下げることができる。従って、引き出しカウンタや目隠し部材により良好な見た目を維持しながら、複数の下キャビネットに対して一つの奥行きの上キャビネットを組み合わせ可能にさせて上キャビネットの扉を共通化させ、キャビネットセットを製造する際のコストを低減させるとともに、引き出しカウンタや固定カウンタによりキャビネットセットの使い勝手を向上させることが可能となる。
【００６０】
（５）変形例：
本発明のキャビネットは、様々な変形例が考えられる。
図１３に示すキャビネットセット３００のように、略水平方向に回動して引き出し可能とされた着脱可能な引き出しカウンタ２３０を所定の高さの下部空間２５０に設けてもよい。同キャビネットセット３００は、下キャビネット２１０、下キャビネット２１０の上側に載置される上キャビネット２２０を備えている。上キャビネットの収納空間の下側に形成される下部空間２５０にて、引き出しカウンタ２３０が上キャビネット２２０に取り付けられている。引き出しカウンタ２３０を略水平方向に引き出すと、この引き出しカウンタ２３０の上に様々な小物等を置くことができて便利であるとともに、上キャビネット２２０の収納空間の下側に下部空間２５０が形成される。そこで、下部空間２５０に手を入れて引き戸の下端部に設けられた挿入部材を手で略下方へ引っ張ることが可能であるので、容易に上キャビネット２２０に対して引き戸を着脱することができ、使い勝手がよい。
【００６１】
ここで、引き出しカウンタ２３０を上キャビネット２２０から取り外し、上述した掛止部材１４０，１４０を側面下方延出部２２２ｃの内側面に取り付けると、目隠し部材１３０を下部空間２５０にて上キャビネット２２０に取り付けることができる。すなわち、上キャビネット２２０は、下キャビネット２１０の上側に載置されたときに下キャビネット２１０の上側と上キャビネット２２０の収納空間の下側との間に形成される開口部を有する下部空間２５０に、略水平方向に回動して引き出し可能とされて着脱可能な引き出しカウンタ２３０と同開口部を塞ぐ着脱可能な目隠し部材１３０とが選択的に設けられる。
【００６２】
以上説明したように、本発明によると、種々の態様により、良好な見た目を維持しながら、奥行きが異なる等、複数の下キャビネットに対して一つの奥行きの上キャビネットを組み合わせ可能にさせて上キャビネットの扉等を共通化させ、キャビネットを製造する際のコストを低減させるとともに、キャビネットセットの使い勝手を向上させることが可能となる。
【図面の簡単な説明】
【図１】本発明の一実施形態にかかる二種類のキャビネットセットを正面から見て示す正面図である。
【図２】各キャビネットを図１の右側から見て示す右正面図である。
【図３】上キャビネットの要部を左側から断面視して示す断面図である。
【図４】下キャビネットの上側に上キャビネットを載置する様子を示す分解斜視図である。
【図５】引き戸を取り付ける様子を一部分解して示す斜視図である。
【図６】背面側の引き戸の上端部を上レールに吊り下げる様子を示す要部断面図である。
【図７】背面側の引き戸の挿入部材を下レールの案内溝に挿入する様子を示す要部断面図である。
【図８】前面側の引き戸の上端部を上レールに吊り下げる様子を示す要部断面図である。
【図９】前面側の引き戸の挿入部材を下レールの案内溝に挿入する様子を示す要部断面図である。
【図１０】引き出しカウンタを取り付ける様子を一部分解して示す斜視図である。
【図１１】引き出しカウンタを掛止させる様子を示す要部側面図と要部断面図である。
【図１２】目隠し部材を取り付ける様子を一部分解して示す斜視図である。
【図１３】変形例にかかるキャビネットの外観を示す斜視図である。
【符号の説明】
１０，１１０，２１０…下キャビネット
２０，２２０…上キャビネット
２１…上本体部
２１ａ…上本体延出部
２２…下本体部
２２ａ…底板
２２ｂ…側面
２２ｃ…側面下方延出部
２３…上レール
２３ａ，ｂ…載置部
２３ｃ，ｄ…補助ローラ
２４…下レール
２４ａ，ｂ…案内溝
２４ｃ…前面側側面
２４ｄ，ｅ…開口
２５…第一の引き戸
２６…第二の引き戸
２５ａ，２６ａ…ガラス板
２５ｂ，２６ｂ…枠
２５ｃ，２６ｃ…突出部
２５ｃ３，２６ｃ３…ローラ
２５ｄ，２６ｄ…挿入部材支持部
２５ｅ，２６ｅ…挿入部材
２５ｅ３，２６ｅ３…コイルスプリング
２５ｅ４，２６ｅ４…ローラ
３０，２３０…引き出しカウンタ
３１…レール
４０…スライド部材
５０，１５０，２５０…下部空間
１００，２００，３００…キャビネットセット
１３０…目隠し部材
１３１…コ字部材
１４０…掛止部材
１５１…開口部
１６０…固定カウンタ（所定の厚さのカウンタ）
【図１】
2004166859.tif 000003
【図２】
2004166859.tif 000004
【図３】
2004166859.tif 000005
【図４】
2004166859.tif 000006
【図５】
2004166859.tif 000007
【図６】
2004166859.tif 000008
【図７】
2004166859.tif 000009
【図８】
2004166859.tif 000010
【図９】
2004166859.tif 000011
【図１０】
2004166859.tif 000012
【図１１】
2004166859.tif 000013
【図１２】
2004166859.tif 000014
【図１３】
2004166859.tif 000015